【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】  移動通信ネットワークにおいてパワー制御を行なう方法であって、
ａ）少なくとも１つのベースステーションから前記移動通信ネットワークのネットワークエレメントへ、またはその逆に、前記少なくとも１つのベースステーションと移動端末との間の無線伝送の質を定める信頼性情報を伝送し、
ｂ）伝送された信頼性情報に基づいて、パワー制御のためのターゲットセットポイントの変更を決定し、
ｃ）前記ターゲットセットポイントの変更を定めるパワー制御コマンドを、前記ネットワークエレメントから前記少なくとも１つのベースステーションへ伝送する、
各段階を含み、前記ターゲットセットポイントは、ビット当りターゲットエネルギー対ノイズパワー密度比Ｅｂ／Ｎｏであり、そして前記制御情報のフォーマット及び／又はコーディングはチャンネルセットアップ段階において定められ、そしてベアラーデペンデントであることを特徴とする方法。
【請求項２】  前記信頼性情報は、前記ネットワークエレメントに接続された複数のベースステーションによって伝送され、パワー制御のための前記ターゲットセットポイントの変更は、前記複数のベースステーションから前記ネットワークエレメントへ伝送される各信頼性情報を総合的に考慮することによって行なわれ、前記パワー制御コマンドは、前記複数のベースステーションの各々へ伝送される請求項１に記載の方法。
【請求項３】  パワー制御のためのターゲットセットポイントの前記変更の前記決定は、最良の信頼性情報の選択に基づいて行なわれる請求項２に記載の方法。
【請求項４】  パワー制御のためのターゲットセットポイントの前記変更の前記決定は、受信した信頼性情報の所定の組み合わせに基づいて行なわれる請求項２に記載の方法。
【請求項５】  前記ネットワークエレメントは、無線ネットワークコントローラである請求項１から４のうちのいずれか１項に記載の方法。
【請求項６】  前記信頼性情報は、制御情報としてアップリンクデータパケットへ挿入される請求項１から５のうちのいずれか１項に記載の方法。
【請求項７】  前記信頼性情報は前記ベースステーションにより行われる冗長度コードチェック及び／又はチャネルデコーダ特定パラメータにより行われた結果を含む請求項１から６のうちのいずれか１項に記載の方法。
【請求項８】  異なるアップリンクブランチが組み合わされるとき、１つの合成信頼性情報が定められる請求項１から７のうちのいずれか１項に記載の方法。
【請求項９】  前記パワー制御コマンドは、制御情報としてダウンリンクデータパケットへ挿入される請求項１から８のうちのいずれか１項に記載の方法。
【請求項１０】  ダウンリンクデーターパケットが送られていない間で前記パワー制御コマンドが送られるときは、前記パワー制御コマンドのみを含み、ユーザーデーターを含んでいないエンプティダウンリンクデーターパケットが送られる請求項９に記載の方法。
【請求項１１】  前記パワー制御コマンドが、ビット当りターゲットエネルギー対ノイズパワー密度比Ｅｂ／Ｎｏの変更を決めている請求項１から１０のいずれか１項に記載の方法。
【請求項１２】  前記パワー制御コマンドが１ビットの長さを有し、そしてＥｂ／Ｎｏの増し分もしくは減り分を決めている請求項１１に記載の方法。
【請求項１３】  前記パワー制御コマンドが複数の長さを有し、そしてＥｂ／Ｎｏの変更値を決めている請求項１１に記載の方法。
【請求項１４】  ダウンリンクデータスプリッティングがネットワークエレメントにおいて行なわれるとき、前記パワー制御コマンドは、すべてのブランチにおいて複製される請求項１から１３のうちのいずれか１項に記載の方法。
【請求項１５】  前記ターゲットセットポイントの絶対値は、すべてのブランチにおいて専用チャンネルアクティビィティ中にセットされる請求項１から１４のうちのいずれか１項に記載の方法。
【請求項１６】  前記ターゲットセットポイントの変更のためのステップサイズは、レーヤー３シグナリングを使用して前記専用チャンネルアクティビィティ中に再定めされる請求項１５に記載の方法。
【請求項１７】  少なくとも１つのベースステーション（１０）およびこの少なくとも１つのベースステーション（１０）に接続されたネットワークエレメント（２０）を含む移動通信ネットワークにおいてパワー制御を行なうためのシステムであって、
ａ）前記少なくとも１つのベースステーション（１０）は、ベースステーション（１０）と移動端末との間の無線伝送の質を定める信頼性情報を生成するための生成手段（１２）と、前記信頼性情報を前記ネットワークエレメント（２０）へ伝送するための伝送手段（１４）とを備えており、
ｂ）前記ネットワークエレメント（２０）は、前記信頼性情報を受信するための受信手段（２１）と、受信した信頼性情報に基づいてパワー制御のためのターゲットセットポイントの変更を決定するための決定手段（２３）と、前記ターゲットセットポイントの前記変更を定めるパワー制御コマンドを生成するための生成手段（２４）と、前記パワー制御コマンドを前記少なくとも１つのベースステーション（１０）へ伝送するための伝送手段（２１）とを備え、
前記ターゲットセットポイントはビット当りターゲットエネルギー対ノイズパワー密度比Ｅｂ／Ｎｏであり、そして
前記パワー制御コマンドのフォーマット及び／又はコーディングは、チャンネルセットアップ段階において定められ、ベアラーデペンデントであることを特徴とするシステム。
【請求項１８】  前記少なくとも１つのベースステーション（１０）の前記伝送手段（１４）は、前記信頼性情報を制御情報としてアップリンクデータパケットへ挿入するように構成されている請求項１７に記載のシステム。
【請求項１９】  前記少なくとも１つのベースステーション（１０）は、前記移動端末から受信される冗長度コードをチェックするためのチェッキング手段（１２）を備え、前記ベースステーション（１０）の前記生成手段（１３）は、前記チェッキング手段（１２）のチェッキング結果及び／又はチャンネル特定パラメータに基づいて前記信頼性情報を生成する請求項１７または１８に記載のシステム。
【請求項２０】  前記ネットワークエレメント（２０）の前記伝送手段（２１）は、前記パワー制御コマンドを制御情報としてダウンリンクデータパケットへ挿入するように構成されている請求項１７から１９のうちのいずれか１項に記載のシステム。
【請求項２１】  ダウンリンクデータパケットが伝送されていない間に前記パワー制御コマンドが必要とされるときに、前記パワー制御コマンドのみを含み、ユーザーデーターを含まないエンプティダウンリンクパケットを生成するように前記ネットワークエレメント（２０）の前記伝送手段（２１）が構成されている請求項２０に記載のシステム。
【請求項２２】受信したパワー制御コマンドによって定められた変更にしたがってパワー制御のためのターゲットセットポイントを変更するためのターゲットセッティング手段（１５）を前記少なくとも１つのベースッステーション（１０）が備える請求項１７から２１のうちのいずれか１項に記載のシステム。  
【請求項２３】前記ターゲットセッティング手段（１５）は、前記ターゲットセットポイントの絶対値をセットするようにレーヤー３シグナリングに基づいて制御されうる請求項２２に記載のシステム。
【請求項２４】前記ターゲットセッティング手段（１５）は、前記ターゲットセットポイントの変更のためのステップサイズを再定めするようにレーヤー３シグナリングに基づいて制御されうる請求項２０に記載のシステム。
【請求項２５】前記ネットワークエレメント（２０）の前記決定手段（２３）は、複数のベースステーション（１０）から受信される各信頼性情報に基づいてパワー制御のための前記ターゲットセットポイントの前記変更を決定するように構成されており、前記パワー制御コマンドは、前記ネットワークエレメント（２０）の前記伝送手段（２１）によって前記複数のベースステーション（１０）の各々へ伝送される請求項１７から２４のうちのいずれか１項に記載のシステム。
【請求項２６】前記複数のベースステーション（１０）から受信した最良の信頼性情報の選択に基づいてパワー制御のための前記ターゲットセットポイントの前記変更を決定するように前記決定手段（２３）が構成されている請求項２５に記載のシステム。
【請求項２７】受信した信頼性情報の所定の組み合わせに基づいてパワー制御のための前記ターゲットセットポイントの前記変更を決定するように前記決定手段（２３）が構成されている請求項２５に記載の方法。
【請求項２８】複数のアップリンクブランチに対して生成された複数の信頼性情報に基づいて合成信頼性情報を決定するように前記少なくとも１つのベースステーション（１０）の前記生成手段（１２）が構成されている請求項１７から２７のうちのいずれか１項に記載のシステム。
【請求項２９】  前記複数のアップリンクブランチの最悪信頼性情報に基づいて、または、前記生成された信頼性情報の所定の組み合わせに基づいて、前記合成信頼性情報を決定するように前記少なくとも１つのベースステーション（１０）の前記生成手段（１２）が構成されている請求項２８に記載のシステム。
【請求項３０】  前記ネットワークエレメントは無線ネットワークコントローラ（２０）である請求項１７から２９のうちのいずれか１項に記載のシステム。
【請求項３１】  請求項１７から３０のうちのいずれか１項に記載のシステムにおいて使用するネットワークエレメント。
【請求項３２】  請求項１７から３０のうちのいずれか１項に記載のシステムにおいて使用するベースステーション。